(57)【要約】低い構造高さのための光ピックアップアクチュエータは、レンズシステム（１０２）を持つ、支えられたレンズホルダ（１０１）、集束コイル（１０６ａ、１０６ｂ、１０６ｃ、１０６ｄ）及びトラッキングコイル（１０９）、並びに、その集束コイル及びトラッキングコイルと協調する磁石（１０７ａ、１０７ｂ、１０７ｃ）を含む。その集束コイル及びトラッキングコイルは、そのアクチュエータにおけるレンズホルダを傾けるために配置されてもよい。放射線ビームがそのアクチュエータの一サイドにあるビームエントランス（１１３）に入るための最低エントランス位置は、それらコイルの高さ及び位置によって決定されることはない。
2009521068.tif 000002
【特許請求の範囲】
【請求項１】
放射線ビームと協調するためのレンズシステムを有するレンズホルダであり、該レンズシステムが光軸を有し、また、当該レンズホルダがサスペンション手段によって支えられるところのレンズホルダ、
前記レンズホルダから切り離された磁石システム、
集束コイルシステム、
実質的に第一面に延在するトラッキングコイルシステムであり、該第一面が前記光軸に対して実質的に平行であるところのトラッキングコイル、を有し、かつ、
前記レンズホルダが前記光軸に実質的に垂直な方向を有する放射線ビームを受け入れるビームエントランスサイドを有する光ピックアップアクチュエータであって、
前記トラッキングコイルシステムが前記光軸の他方の側で前記ビームエントランスサイドの反対に位置付けられることを特徴とする光ピックアップアクチュエータ。
【請求項２】
前記トラッキングコイルシステムは、単一のトラッキングコイルを有する、
請求項１に記載の光ピックアップアクチュエータ。
【請求項３】
前記トラッキングコイルシステムは、前記レンズホルダに取り付けられる、
請求項１に記載の光ピックアップアクチュエータ。
【請求項４】
前記磁石システムは、前記ビームエントランスサイドのところに二つの磁石を有し、該二つの磁石の間の通路に沿って放射線ビームが当該光ピックアップアクチュエータに入れるようにする、
請求項１に記載の光ピックアップアクチュエータ。
【請求項５】
前記集束コイルシステムは、実質的に前記第一面、及び、前記光軸の他方の側で前記第一面の反対に位置付けられる第二面に延在する、
請求項１乃至４の何れか一項に記載の光ピックアップアクチュエータ。
【請求項６】
前記集束コイルシステムは、それぞれが前記レンズホルダの向かい合った側にある一以上のコイル対を有し、該コイル対又はコイル対群は、前記レンズホルダを傾けるための手段を形成する、
請求項５に記載の光ピックアップアクチュエータ。
【請求項７】
前記レンズホルダを傾けるための手段は、前記トラッキングコイルシステムが延在する前記第一面に実質的に垂直な軸の周りで前記レンズホルダを傾けるよう構成される、
請求項６に記載の光ピックアップアクチュエータ。
【請求項８】
前記集束コイルシステムは、前記光軸に実質的に垂直な面に配置された一つのコイルを有する、
請求項１乃至４の何れか一項に記載の光ピックアップアクチュエータ。
【請求項９】
前記一つのコイルは、前記レンズホルダの上面部の周りにある、
請求項８に記載の光ピックアップアクチュエータ。
【請求項１０】
それぞれが前記レンズホルダの向かい合った側にある少なくとも一つのコイル対を有し、該少なくとも一つのコイル対が前記レンズホルダを傾けるための手段を形成する、
請求項８に記載の光ピックアップアクチュエータ。
【請求項１１】
前記レンズホルダを傾けるための手段は、前記トラッキングコイルシステムが延在する前記第一面に実質的に垂直な第一軸の周りで前記レンズホルダを傾けるよう構成される、
請求項１０に記載の光ピックアップアクチュエータ。
【請求項１２】
前記レンズホルダを傾けるための手段は、更に、前記トラッキングコイルシステムが延在する前記第一面に実質的に平行で、かつ、前記光軸に実質的に垂直な第二軸の周りで前記レンズホルダを傾けるよう構成される、
請求項１１に記載の光ピックアップアクチュエータ。
【請求項１３】
第二レンズシステムは、第二放射線ビームと協調するために含まれ、前記レンズホルダは、前記第二放射線ビームを受け入れるための第二ビームエントランスサイドを有し、前記第二ビームエントランスサイドは、前記トラッキングコイルシステムが位置付けられる前記第一面に実質的に垂直である、
請求項１乃至４の何れか一項に記載の光ピックアップアクチュエータ。
【請求項１４】
請求項１乃至４の何れか一つに従った光ピックアップアクチュエータを有する光走査デバイス。
【請求項１５】
請求項５に従った光ピックアップアクチュエータを有する光走査デバイス。
【請求項１６】
請求項８に従った光ピックアップアクチュエータを有する光走査デバイス。
【請求項１７】
請求項１３に従った光ピックアップアクチュエータを有する光走査デバイス。
【発明の詳細な説明】
【技術分野】
【０００１】
本発明は、光軸を持つレンズシステムを有するレンズホルダ（そのレンズホルダは、サスペンション手段によって支えられる。）、そのレンズホルダから切り離された磁石システム、並びに、そのレンズホルダに取り付けられた集束コイルシステム及びトラッキングコイルシステムを含む光ピックアップアクチュエータに関する。なお、そのレンズホルダは、放射線ビームを受け入れるための、その光軸に実質的に垂直なビームエントランスサイドを有する。
【０００２】
本発明はまた、光ピックアップアクチュエータを含む光走査デバイスに関する。
【背景技術】
【０００３】
光ピックアップアクチュエータ、及び、コンパクトディスク（ＣＤ）又はデジタルバーサティルディスク（ＤＶＤ）のような光学記録担体を走査するための光学ピックアップアクチュエータを含む、光学的に読み取り及び／又は書き込みを行うシステムが知られている。便宜上、光学記録担体は、以下において、ディスクとも称されるが、カード型光学記録担体であってもよい。その光ピックアップアクチュエータの固定部分における磁石システムと協調するそのレンズホルダ上のトラッキング及び集束コイルシステムは、そのレンズホルダが半径（トラッキング）方向及び垂直（集束）方向に移動できるようにする。例えば、コンピュータやビデオレコーディングシステムにおけるＤＶＤレコーダで用いられるＣＤ及び／又はＤＶＤデータドライブのような光ピックアップアクチュエータを有する光学的な読み出し及び／又は書き込みを行うシステムが知られている。以下において、例えば、ＣＤデータドライブ、ＤＶＤレコーダ等のような光学的な読み出し及び／又は書き込みを行うシステムは、光学データドライブと称される。例えば、ノートブックコンピュータやスリムラインビデオレコーダのような携帯機器応用に対するいわゆるスリムライン又は薄型の光学データドライブのトレンドは、そのディスクを走査するための、スリムライン又は薄型の光ピックアップ又は光走査デバイスを求めている。従って、そのアクチュエータの構造高さ、すなわち、走査されるディスクの表面に垂直な面におけるその光ピックアップのアクチュエータの全高は、低くなければならない。
【０００４】
それ故に、その光ピックアップは、その光走査デバイスの高さを限定するためにも、スリムライン又は薄型の光ピックアップアクチュエータを必要とする。そのような光ピックアップアクチュエータは、例えば、米国特許出願第２００４／０１０３４２０号に開示されている。その光ピックアップアクチュエータは、一つの集束コイルを持つ集束コイルシステム、及び、固定部分に四つの磁石を持つ磁石システムと協調するレンズホルダに対称的に取り付けられた四つのトラッキングコイルを持つトラッキングコイルシステムを有する。この配置は、その対物レンズが動かされたときのその対物レンズの傾斜が小さくなるようにそれら集束コイル及びトラッキングコイルで生成されるモーメントを低減させるのに有利であると記載されている。米国特許出願第２００４／０１０３４２０号はまた、その集束コイルシステムが、二つの集束コイル、及び、四つの磁石の磁石システムと協調する四つのトラッキングコイルを有するという実施例を開示している。相互に離れた態様で配置される二つの集束コイルを持つことで、そのレンズホルダの側面の内に空間を作り出すことを可能にしている。これは、放射線ビームが、その側面からその可動レンズホルダを通ってその対物レンズに向かって通り抜けるのを可能にする。それらコイル及び磁石の配置は、その対物レンズが動かされたときの、それらコイルシステムによって生成されたモーメントに起因するその対物レンズの傾斜が小さくなるように選択される。
【０００５】
ＤＶＤ又はブルーレイディスク（ＢＤ）を走査するためのような、光学データドライブのいくつかのタイプにとっては、その対物レンズの光軸が、ディスク傾斜角を補正するために、そのディスクの面に垂直になるよう能動的に調整されること（すなわち、例えば、接線及び／又は半径方向へのディスクの傾斜によってもたらされるコマ収差を補正するためのその光ピックアップアクチュエータにおける対物レンズのアクティブ傾斜調整）が望ましい。そのようなアクティブ傾斜制御は、その光学データドライブの読み出し及び／又は書き込み性能を改善する効果がある。米国特許出願第２００４／０１０３４２０号は、アクティブ傾斜制御の可能性については何も開示していない。
【０００６】
国際公開第０３／１０２９２９号では、アクティブ傾斜制御に適した光ピックアップアクチュエータが開示されている。その光ピックアップアクチュエータは、そのレンズホルダの側面にある二つの平行な面に実質的に延在する集束コイル及びトラッキングコイルシステムを有する。磁石システムは、そのレンズホルダから切り離して配置される。その集束及びトラッキングコイルシステムは、その磁石システムとの協調を通じて傾斜を生じさせるために配置される。しかしながら、それらコイルシステムの配置は、それらコイルの高さ及び位置が、そのアクチュエータに入る放射線ビームの最も低いエントランス位置を決定するので、スリムライン又は薄型のアクチュエータを許容しない。
【特許文献１】米国特許出願第２００４／０１０３４２０号明細書
【特許文献２】国際公開第０３／１０２９２９号パンフレット
【非特許文献１】G.Bouwhuis,  J.Braat,  A.Huijser等、“Principles  of  Optical  Disc  Systems”(Adam  Hilger  1985,  ISBN  0-85274-785-3)
【発明の開示】
【発明が解決しようとする課題】
【０００７】
本発明の目的は、スリムライン又は薄型の光走査デバイスに適した、改良型光ピックアップアクチュエータを提供することである。
【課題を解決するための手段】
【０００８】
この目的のために、放射線ビームと協調するためのレンズシステムを持つレンズホルダ（そのレンズホルダは、光軸を有し、また、そのレンズホルダは、サスペンション手段によって支えられる。）、そのレンズホルダから切り離された磁石システム、集束コイルシステム、実質的に第一面に延在するトラッキングコイルシステム（その第一面は、その光軸に対して実質的に平行である。）を有する光ピックアップアクチュエータであり、そのレンズホルダが、その光軸に実質的に垂直な方向を持つ放射線ビームを受け入れるためのビームエントランスサイドを有し、そのトラッキングコイルシステムが、その光軸の反対側にあるそのビームエントランスサイドの反対側に位置付けられるところの光ピックアップアクチュエータが提供される。
【０００９】
そのビームエントランスサイドの反対に位置付けられたトラッキングコイルシステムを有することは、放射線ビームがその光ピックアップアクチュエータに入るための余地を与えるそのサイドにおけるコイル及び磁石の量を低減させる。
【００１０】
本発明者は、内部レンズホルダの共振周波数が存在するので、そのレンズホルダの一方のサイドからトラッキングコイルを削除することが、そのアクチュエータの周波数応答関数におけるそのレンズホルダの共振周波数を変えることがないことに気付いた。例えば、１０ｋＨｚ未満の低周波数領域では、そのレンズホルダは、剛体と見なされる。高周波数では、そのレンズホルダは、局所質量及びそれらの間の固い部分の組み立て品と見なされる。そのレンズホルダを設計するとき、そのレンズホルダの力学的励起において、その共振モードが、好適には、そのレンズ（又はレンズホルダ）の動作に現れないように、或いは、好適には、そのシステムのサーボ帯域幅（例えば、ＢＤノートブック応用に対する３５ｋＨｚ）を上回る周波数に置かれるように、そのレンズホルダの特定の位置に固い部分を振り向けることが可能である。
【００１１】
好適には、そのトラッキングコイルシステムは、単一のトラッキングコイルを有する。
【００１２】
これは、そのトラッキングコイルシステムが置かれるそのレンズホルダの側に、集束コイルシステム及び／又は傾斜コイルシステムのような別のコイルシステムのためのより大きなスペースを与えることができる。このより大きなスペースは、これらコイルシステム及び／又はより正確にバランスされ作動させられるレンズホルダの動作のための効率を高める、集束及び／又は傾斜用のより大きなコイルシステムを許容する。
【００１３】
好適には、そのトラッキングコイルシステムは、そのレンズホルダに取り付けられる。
【００１４】
そのコイルシステムをそのレンズホルダに取り付けて、かつ、その対応する磁石システムをそのレンズホルダに取り付けないことで、作動させられる全質量の重さは、低いまま維持され得る。これは、電力消費量及びそのアクチュエータの帯域幅にとって有益である。そのアクチュエータの、集束、トラッキング又は傾斜方向の全ストロークに亘って一定の力を得るために、その磁石／ヨークの寸法が、その磁石と協調するそのコイルの寸法よりも大きいことが好適である。それら磁石がそのレンズホルダ上に置かれた場合、その寸法は、好適には、例えば、既述の電力消費を考慮したそのレンズホルダの移動質量に対する所要の制限のため、そのアクチュエータの非動作部分に置かれる場合よりも小さいものとなる。そのアクチュエータのストロークに亘って一定の力をここでも得るために、それらコイルの寸法はここでも増大させられ、それは、そのコイルの非効率な利用及び浪費増大につながる。好適には、同じ有利な理由のために、その集束コイルシステムもそのレンズホルダ上に取り付けられる。
【００１５】
好適には、その磁石システムは、そのビームエントランスサイドのところに二つの磁石を有し、それら二つの磁石の間にある通路に沿って放射線ビームがその光ピックアップアクチュエータに入れるようにする。
【００１６】
そのビームエントランスサイドのところに二つの磁石を持つその磁石システムは、それら二つの磁石の間の通路に沿って、放射線ビームがその光ピックアップアクチュエータに入れるようにする。これは、その放射線ビームがその磁石システムの下に入り、その光ピックアップアクチュエータの有効高さを増大させ、ひいては、光走査デバイスの高さを増大させるのを防止する。
【００１７】
本発明に従った実施例では、本発明に従った光ピックアップアクチュエータは、そのトラッキングコイルが置かれる第一面、及び、その光軸の反対側でその第一面の反対に置かれる第二面に実質的に延在する、集束コイルシステムを更に有する。
【００１８】
これは、そのレンズホルダの両側に集束コイルシステムを有する可能性を許容し、それは、その光学データドライブにおける集束サーボシステムの集束作動の効率ひいてはその性能を向上させる。また、そのレンズホルダの動作の角度の正確さも改善される。
【００１９】
好適には、その光ピックアップアクチュエータは、それぞれがそのレンズホルダの反対側にある一以上のコイル対を持つ集束コイルシステムを更に有し、そのコイル対又はコイル対群は、そのレンズホルダを傾斜させるための手段を形成する。
【００２０】
その集束コイルシステムが、それぞれがそのレンズホルダの反対側にある少なくとも一つのコイル対を有し、そのコイル対又はコイル対群がそのレンズホルダを傾斜させるための手段を形成する場合、そのレンズホルダを傾斜させるための別個のコイルシステムを有する必要がない。これは、そのアクチュエータの複雑さを低減させ、また、作動させられるべき質量の追加を回避する。
【００２１】
本発明に従った別の実施例において、その光ピックアップアクチュエータは、その光軸に実質的に垂直な面に配置される一つのコイルを含む集束コイルシステムを有する。
【００２２】
好適には、その一つのコイルは、そのレンズホルダの上部周辺にある。
【００２３】
（走査されるディスクの側に置かれる）そのレンズホルダの上部におけるその位置は、集束作動の間にそのレンズホルダに適用されるモーメントをそのレンズホルダの重心に近づける。これは、集束作動の間におけるそのレンズホルダの傾斜の量を低減させる。そのトラッキングコイルの高さが低減された場合にも、そのアクチュエータの低構造高さが得られる。
【００２４】
そのレンズホルダの上部に置かれる単一のコイルを含む集束コイルシステムは、そのレンズホルダの両側に、一以上のコイル対がそのレンズホルダの対向する側のそれぞれに置かれるという別の選択肢に従った傾斜制御に必要な追加的なコイルシステムのためのスペースを与える。なお、コイル対又はコイル対群は、そのレンズホルダを傾斜させるための手段を形成する。
【００２５】
そのレンズホルダの上部における集束コイル、及び、その単一のトラッキングコイルは、傾斜のための一以上のコイル対の使用を許容する。単一のコイル対を用いて、例えば、半径方向又は接線方向の傾斜が可能となる。
【００２６】
好適な実施例では、二つのコイル対が適用され、そのレンズホルダを二つの方向（例えば、半径方向の傾斜及び接線方向の傾斜）に傾斜させることを可能にする。このようにして、ディスク傾斜に起因するコマ収差は、二つの方向で補正され得、それは、その光走査デバイスの走査性能を改善する。
【００２７】
本発明に従った別の実施例では、その光走査デバイスは、第二放射線ビームと協調するための第二レンズシステムを更に有し、その第二レンズシステムは、第二光軸を有し、そのレンズホルダは、その第二放射線ビームを受けるための第二ビームエントランスサイドを有し、その第二ビームエントランスサイドは、そのトラッキングコイルシステムが置かれるその第一面に実質的に垂直である。
【００２８】
第二レンズシステムの適用は、その光ピックアップアクチュエータを第二、第三、更には、第四の光学記録担体の走査に適応させることができる。そのレンズシステムは、例えば、ＣＤ及び／又はＤＶＤを走査するために設計されてもよく、その第二レンズシステムは、ＢＤを走査するために設計されてもよい。また、例えば、そのレンズシステムがＣＤ及び／又はＨＤＤＶＤを走査するために設計され、また、その第二レンズシステムがＤＶＤ及び／又はＢＤを走査するために設計され、或いは、その逆といったような別の組み合わせも可能である。
【００２９】
更に、本発明は、本発明に従った光ピックアップアクチュエータを備える光走査デバイスに関し、特に、低い高さを持つ光走査デバイスに関する。
【００３０】
請求項に関し、その一連の請求項で規定される種々の特性は、組み合わせによって生じるものであってもよい点に留意すべきである。
【００３１】
上述した本発明の別の態様は、非限定的な例を用いて、以下に記載される実施例を参照することで、明らかとなり、かつ、解明される。
【発明を実施するための最良の形態】
【００３２】
本発明の種々の実施例の特徴及び有利点は、ほんの一例として与えられる、本発明の好適な実施例の、添付図を参照する以下の説明から明らかとなる。
【実施例１】
【００３３】
図１は、本発明に従った光ピックアップアクチュエータ１００の種々の図を示す。光ピックアップアクチュエータ１００は、以下において、便宜上、‘アクチュエータ’と称される。図１Ａ、１Ｂ及び１Ｃを参照すると、レンズシステム１０２を有するレンズホルダ１０１は、サスペンション（懸架）手段１０３によって、接続ブロック１０４に支えられる。このサスペンション手段は、例えば、金属製の弾性棒のようなサスペンションビーム（懸架梁）で構成されてもよい。図１Ａ、１Ｂ及び１Ｃにおいて、そのサスペンション手段は、そのレンズシステムの光軸１０５（図１Ｂ参照。）の方に横に延びる四つの金属製弾性棒１０３として示される。レンズシステム１０２は、例えば、単一エレメントの対物レンズ、又は、マルチエレメントの対物レンズであってもよい。
【００３４】
各弾性棒の一方の側は、そのレンズホルダに固定され、その弾性棒の他方の側は、その接続ブロックに固定される。図１Ａ及び図１Ｃは、それら四つの弾性棒１０３のうちの二つを示すのみである点に留意すべきである。それら四つの弾性棒１０３の使用は、弾性棒１０３を弾性的に変形することによって、レンズホルダ１０１が接続ブロック１０４に対して、そのレンズシステムの光軸１０５に平行な方向と光軸１０５に垂直な方向における二つの相対する方向Ｘ及びＸ’とに短い距離に亘って移動できるようにする。これらＸ及びＸ’方向は、例えば、ＤＶＤデータドライブのような、そのアクチュエータの用途において、光学記録担体における二つの相対する半径方向（すなわち、そのトラックに垂直である。）と一致する。
【００３５】
もう一つの方法として、そのサスペンションは、金属製弾性棒と同じ機能を備えるプラスチックヒンジによって実現される。その棒の断面形状は、円形、楕円形、方形、又は、他の適切な若しくは特定の形状であってもよい。
【００３６】
レンズシステム１０２は、単一のレンズのみ又は複数のレンズ群を有する対物レンズであってもよい。そのレンズシステムは、例えば、ＣＤ又はＤＶＤのような一種類の光学記録担体を走査するために設計されてもよいが、例えば、ＣＤ及びＤＶＤ、ＤＶＤ及びＢＤ、又は、ＢＤ及びＣＤのような複数種類の光学記録担体を走査するために設計されてもよい。
【００３７】
四つのコイル１０６ａ、１０６ｂ、１０６ｃ及び１０６ｄを持つ集束コイルシステム、すなわち、駆動コイルは、レンズホルダ１０１に取り付けられる。永久磁石１０７ａ、１０７ｂ、１０７ｃは、その集束コイルシステムと協調すべく、閉鎖ヨーク１０８の部分に取り付けられて固定される。
【００３８】
作動中、永久磁石の磁場とそのコイル（例えば、集束コイル又はトラッキングコイルである。）における電流との間の相互作用によってローレンツ力が発生し、そのローレンツ力の下で、そのレンズホルダは、その磁場方向、コイルの姿勢及びそのコイルにおける電流方向の間の一般的に知られた相互作用に従って決定される方向に、移動させられる。
【００３９】
もう一つの方法として、その集束コイルシステムは、四つの代わりに、二つの集束コイルのみを有する。そして、協調する対応永久磁石（又は磁石部）の数は、それに応じて減少する。
【００４０】
トラッキングコイル１０９は、光軸１０５に実質的に平行な平面に延在するレンズホルダ１０１の一方の側に取り付けられる。この平面は、そのレンズホルダのビームエントランスサイド１１２の反対に位置付けられる。図１Ａに示されるトラッキングコイル１０９は、単一のトラッキングコイルを有し、また、永久磁石１０７ａと協調する。永久磁石１０７ａは、複数の磁化部を有し、また、以下に説明される。
【００４１】
もう一つの方法として、トラッキングコイルシステム１０９は、そのレンズホルダの同じ側に位置付けられた二つのトラッキングコイルを有する。これら二つのトラッキングコイルばかりでなく集束コイル１０６ａ及び１０６ｄの双方は、複数の磁化部を有する単一の永久磁石１０７ａを用いてもよい。磁化部の別のパターンを有する二つの別個の永久磁石がその集束コイル及びトラッキングコイルと協調するように用いられてもよい。そして、別個の永久磁石のそれぞれは、例えば、単一のトラッキングコイル及び集束コイルと協調してもよく、或いは、それら二つの集束コイル又はそれら二つのトラッキングコイルのみと協調してもよい。
【００４２】
金属製の弾性棒１０３はまた、それらコイルとその光ピックアップアクチュエータを駆動するための駆動電子機器（図示せず。）との間の相互接続の一部として用いられてもよい。その場合、それらの棒は、好適には、導電性である。その場合、それらコイルを有する可動レンズホルダ１０１への個々のリード線が必要とされることもなく、それは、その組み立てやコストに対してばかりでなく、光ピックアップアクチュエータの動的挙動に対しても有利となり得る。
【００４３】
四つの金属製弾性棒のみが図１Ｃと相俟って図１Ａに示されるが、それらコイルとの電気的相互接続の一部としての機能を果たし得る六つの金属製弾性棒で構成されるサスペンション手段を有することが好適となる場合もある。三つのコイルセット（１０９、１０６ａ及び１０６ｂ、１０６ｃ及び１０６ｄ）のための別個の接続が必要とされない場合には、例えば、共通の接合構造が用いられた場合には、四つの金属製弾性棒で十分である。しかしながら、これは、電気的なクロストークをもたらすばかりでなく複雑な駆動回路となり得る。好適には、それら三つのコイルセット（１０９、１０６ａ及び１０６ｂ、１０６ｃ及び１０６ｄ）のための個々の接続が求められる場合には、六つの金属製弾性棒が適用される。
【００４４】
それらコイル（例えば、トラッキングコイル又は集束コイルである。）は、巻き線工程、フラットコイルパターンニング工程、又は、それらと同様の工程のような、周知の技術に従って製造され得る。そのレンズホルダへの取り付け及び固定もまた、既知の技術に従って行われ得る。
【００４５】
それらコイルがそのレンズホルダ上に取り付けられる場合よりもそのレンズホルダ上にもう少し多くのスペースが必要となるが、それら永久磁石をその可動レンズホルダに取り付け、かつ、それらコイルをそのアクチュエータの非可動部分に取り付けることもまた可能である。
【００４６】
図１Ａに示されるように、光ピックアップアクチュエータのビームエントランス１１３は、そのトラッキングコイルシステムの反対で利用可能な（或いはその逆も同じ。）レンズホルダのビームエントランスサイド１１２のところに位置付けられる。図１Ａに示される集束コイルシステムにおいて、（そのアクチュエータを組み入れた光走査デバイスで生成される）放射線ビームは、ヨーク−磁石−コイルの組み合わせ１０８−１０７ｃ−１０６ｃと１０８−１０７ｂ−１０６ｂとの間の光路１１０に沿ってそのアクチュエータに入ることができる。その放射線ビームは、任意の角度でそのビームエントランスに入ってもよい。例えば、折り畳み式のプリズムのような反射性光学部品１１１によって、そのアクチュエータに入る放射線ビームは、走査される光学記録担体（図示せず。）上に焦点を合わせるために、レンズホルダ１０１のレンズシステム１０２の方に向けられ得る。
【００４７】
この例において、その集束レンズシステムが二つの平面（そのトラッキングコイルシステムが位置付けられる第一平面、及び、光軸１０５の他方の側のところでその第一平面に平行な別の第二平面）に位置付けられているのが見られる。
【００４８】
図２を参照すると、レンズホルダ１０１及びビームエントランス１１３に関する磁石−コイルのレイアウトの上面視（図２Ａ）及び側面視（図２Ｂ及び２Ｃ）を示す。図２Ａは、概略上面図を示し、図２Ｂは、レンズシステムからその接続ブロックに向かう概略図を示し、そして、図２Ｃは、レンズシステムからそのビームエントランスサイドに向かう概略図を示す。永久磁石１０７ａは、トラッキングコイル１０９と協調するばかりでなく集束コイル１０６ａ及び１０６ｄとも協調する。永久磁石１０７ａは、この実施例では、例えば、図２Ｂに示されるような四つの磁化ゾーンを有する。そのアクチュエータの要件に応じて、それらゾーンの量及びレイアウトは異なる。各コイルは、Ｎ極及びＳ極と協調する。
【００４９】
好適には、それら磁石の磁化は、その磁石の表面に垂直である。任意の角度での磁化は、半径方向から集束方向及びその逆へのクロストークをもたらす場合があるからである。
【００５０】
各集束コイルのための磁極レイアウトが同じである場合、例えば、全てのＮ極がそのアクチュエータの上面に置かれる場合、それら四つのコイルは、そのレンズホルダにあるレンズの焦点を、走査される光学記録担体の情報層に合わせるために用いられ得る。図２Ａ、２Ｂ及び２Ｃにおいて、磁石１０７ａ、１０７ｂ及び１０７ｃの磁極レイアウトは、集束コイル１０６ａ及び１０６ｂが同じ磁極レイアウト（例えば、Ｎ極が上面にある。）で協調するようにし、また、集束コイル１０６ｃ及び１０６ｄが鏡に映し出された磁極レイアウト（例えば、Ｓ極が上面にある。）で協調するようにする。コイル１０６ａは、磁化部１０７ａ１及び１０７ａ２と協調し、一方で、コイル１０６ｄは、磁化部１０７ａ３及び１０７ａ４と協調する。磁化部１０７ａ１及び１０７ａ３は、Ｎ極となり得、そして、磁化部１０７ａ２及び１０７ａ４は、Ｓ極となり得る。コイル１０６ｂは、磁石１０７ｂの二つの極１０７ｂ１及び１０７ｂ２と協調し、また、コイル１０６ｃは、磁石１０７ｃの二つの極１０７ｃ１及び１０７ｃ２と協調する。コイル１０６ａがコイル１０６ｂに直列接続されて‘Ｆｏｃ１’と名付けられ、また、コイル１０６ｃがコイル１０６ｄに直列接続されて‘Ｆｏｃ２’と名付けられた場合、その焦点機能及び傾斜機能が組み合わせられる（統合される）。Ｆｏｃ１及びＦｏｃ２を通じて同じ駆動電流をそのレンズホルダに流した場合、結果として生じる力は、そのレンズの光軸の方向（すなわち、焦点方向）を向く。相反する駆動電流がＦｏｃ１及びＦｏｃ２を通じて流された場合、その結果として生じる、コイルセットのそれぞれに対する力は、相反する焦点方向を向き、それ故に、そのレンズホルダの傾斜をもたらす。三重出力アクチュエータドライバは、そのトラッキングコイル並びにＦｏｃ１及びＦｏｃ２を駆動するのに十分なものとなり得、（Ｘ−Ｘ’軸に垂直な軸に沿った）半径方向への傾斜ばかりでなくその焦点方向、トラッキング方向へのそのレンズホルダの動きの適用を可能にする。このようにして、放射線ビームで光学記録担体を走査しながら、半径方向のディスクの傾斜に起因して走査ビームに導入されるコマ収差は、その半径方向におけるその対物レンズの傾斜によって補正され得る。
【００５１】
トラッキングコイル１０９はまた、そのアクチュエータを用いて為されるトラッキング動作のために、永久磁石１０７ａと協調してもよい。例えば、図２Ｂに示されるように、そのトラッキングコイルは、永久磁石１０７ａにおける二つの磁化部（極）１０７ａ１及び１０７ａ４と協調する。
【００５２】
そのアクチュエータの焦点合わせ及びトラッキング動作に対する、又は、そのアクチュエータの焦点合わせ、トラッキング及び傾斜動作に対する同じ実現性をもたらす、別の組み合わせが設計されてもよい。
【００５３】
本発明に従った別の実施例について、図３Ａ、３Ｂ及び３Ｃからなる図３が参照される。
【００５４】
図３Ａは、概略上面図を示し、図３Ｂは、そのレンズシステムからその接続ブロックへ向かった概略図を示し、図３Ｃは、そのレンズシステムからそのビームエントランスサイドへ向かった概略図を示す。レンズシステム１０２を有するレンズホルダ１０１は、レンズホルダ１０１に取り付けられた単一の集束コイル２１２を有する。好適には、集束コイル２１２は、そのレンズホルダの上端の周りに取り付けられ、電流がその集束コイルを通して導かれた場合に、そのレンズシステムとレンズホルダとの組み合わせに対して適用されるモーメントが、その組み合わせの重心に密接に関連するようにする。その集束コイルは、好適には、そのレンズシステムの光軸に垂直に方向付けられる。このようにして、作動された場合には、その光軸に平行な方向へのそのレンズホルダピンの動きがあるだけとなる。集束コイル２１２は、三つの永久磁石２０７ａ、２０７ｂ及び２０７ｃと協調する。結果として生じる動きの方向が好適にはその集束コイルの面に垂直であるので、その集束コイルの面と協調するアクチュエータの上側にある磁石部２０７ａ１、２０７ｂ１及び２０７ｃ１は、好適には、同じ極（例えば、Ｎ極である。）である。コイル２０６ａ、２０６ｂ、２０６ｃ、２０６ｄ及び２０９を示すために、集束コイル２１２は、図３Ａには示されていないが図３Ｂ及び３Ｃには示されている点には留意すべきである。ビームエントランスサイド２１３は、磁石２０７ｂと２０７ｃとの間に、その光軸に実質的に垂直な方向に位置付けられ、そのビームエントランスサイドの反対にはトラッキングコイルシステムが位置付けられる。
【００５５】
そのトラッキングコイルシステムは、永久磁石２０７ａの磁化部２０７ａ１及び２０７ａ２と協調する単一のトラッキングコイル２０９を有する。異なる磁化を有することで、磁化部２０７ａ１及び２０７ａ２は、そのトラッキングコイルのところで磁場を作り出し、トラッキングコイル２０９に電流が流された場合に、そのローレンツ力がそれらコイルの面に向けられるようにする。そのトラッキングコイルを流れる電流の方向に応じて、そのローレンツ力は、Ｘ又はＸ’方向に向けられる。
【００５６】
焦点方向及びトラッキング方向の双方におけるそのレンズホルダの移動は、適切な電流がコイルシステム２１２及び２０９のそれぞれに流された場合に、直ちに為され得るが、そのレンズホルダの傾斜動作のために追加的なコイルが追加されてもよい。この実施例では、永久磁石２０７ａ、２０７ｂ、２０７ｃ及び２０７ａのそれぞれと協調する四つの追加的なコイル２０６ａ、２０６ｂ、２０６ｃ及び２０６ｄが追加される。その結果として生じるものは、好適には、Ｉ−Ｉ’方向に平行な第一軸に沿い、また、Ｘ−Ｘ’方向に平行な第二軸に沿う。その第一軸に沿った傾斜は、例えば、走査スポットにおけるコマ収差（例えば、そのディスクの半径方向の傾斜に起因する）を補正するためのレンズシステムの傾斜を導入するために用いられてもよい。その第二軸に沿った傾斜は、例えば、走査スポットにおけるコマ収差（例えば、そのディスクの接線方向の傾斜に起因する）を補正するためのレンズシステムの傾斜を導入するために用いられてもよい。
【００５７】
コイル２０６ｂが異なる極性を有する二つの磁化部２０７ｂ２及び２０７ｂ３と協調するので、この例における永久磁石２０７ｂは、三つの磁化部２０７ｂ１、２０７ｂ２及び２０７ｂ３（この例では、それぞれ、Ｓ極、Ｎ極及びＳ極である。）を有する。同様に、コイル２０６ａもまた、二つの磁化部と協調しなければならない。これは、この例では、永久磁石２０７ａがコイル２０６ａの脇に同様の三つの磁化部２０７ａ１、２０７ａ２及び２０７ａ３（この例では、Ｓ極、Ｎ極及びＳ極である。）を有することを必要とする。磁化部２０７ａ１及び２０７ｂ１の双方は、集束コイル２１２と協調し、また、好適には、コイル２０６ａ及び２０６ｂとは協調しない。これは、流される電流とレンズホルダの傾斜との間の特性におけるクロストークを引き起こし得るからである。
【００５８】
コイル２０６ｃ及び２０６ｄはそれぞれ、磁石２０７ｃ及び２０７ａと協調する。磁石２０７ｃは、二つの磁化部２０７ｃ１及び２０７ｃ２を有し、この例ではそれぞれ、Ｓ極及びＮ極である。磁化部２０７ｃ１はまた、集束コイル２０９とも協調する。磁石２０７ａは、コイル２０６ｄと協調するため、二つの磁化部２０７ａ１及び２０７ａ４（この例ではそれぞれ、Ｓ極及びＮ極である。）を有する。
【００５９】
巻き方向、並びに／又は、コイル２０６ａ、２０６ｂ、２０６ｃ及び２０６ｄの間の相互接続に応じて、Ｉ−Ｉ’軸に平行な軸に沿った傾斜（つまり、例えば、半径方向の傾斜）をもたらすレンズホルダに対する効果的なモーメントを生成することが可能である。磁石２０７ｂが磁石２０７ｃとして磁化されることもまた可能である（その場合、コイル２０６ｂの巻き方向は、コイル２０６ｃと反対でなければならない。）。
【００６０】
巻き方向、及び／又は、コイル間の相互接続（例えば、並列配置のコイル又は直列配置のコイル）の選択は、アクチュエータ（特に光ピックアップアクチュエータ）に関する知識を有する当業者によって決定され得る。
【００６１】
そのビームエントランスの反対にあるトラッキングコイルシステムのみの使用は、前述の実施例において説明されたようなアクチュエータシステムにおけるヨーモードにいくらかの影響を及ぼし得る。ヨーモードは、（磁石による磁場の存在するところにあるコイルを流れる電流によって生成されるような）その適用された力の有効位置が、そのレンズホルダの重心の位置と一致せず、かつ、好適には、その光軸の動きとも一致しない場合に、そのアクチュエータの周波数応答関数において明らかになり得る。レンズホルダの設計において、この励磁位置及び動作に対してレンズホルダの総重心の位置を適応させることは、この影響を補い得る。その状況において、その周波数応答関数における振幅及び位相は、許容可能な低いレベルで維持され得る。
【００６２】
本発明はまた、二つのレンズシステムが用いられる光ピックアップアクチュエータにも適用され得る。例が図４に概略的に示され、そこで、レンズホルダ４０１は、第一レンズシステム４０２及び第二レンズシステム４１５を有する。両レンズシステムは、図４に示されるように半径方向に配置されてもよく、或いは、接線方向に配置されてもよい。その第一レンズシステムは、例えば、（例えば、現にＤＶＤデータドライブで適用されるような）ＣＤ／ＤＶＤ互換の対物レンズであってもよい。そのアクチュエータのコイル-磁石のレイアウトは、例えば、上述の実施例の一つであってもよく、そこで、第一放射線ビームは、記載のように、ビームエントランスサイド４１２のところでそのアクチュエータに入ることができる。第二レンズシステム４１５は、例えば、第二放射線ビームと協調するＢＤ対物レンズであってもよい。その第二レンズシステムは、第二光軸を有し、レンズホルダ４０１は、その第二放射線ビームを受けるための第二ビームエントランスサイド４１６を有する。第二ビームエントランスサイド４１６は、そのトラッキングコイルシステムによって規定される面に実質的に垂直に位置付けられる。反射性光学部品（図示せず。）は、第二レンズシステム４１５に向かって第二ビームエントランスに入った第二放射線ビームを反射できる。サスペンション手段４０３による不明瞭さを発生させないために、そのレンズホルダをその接続ブロック（図示せず。）に接続する、例えば、可撓性の金属棒が、そのレンズホルダの端に取り付けられる。
【００６３】
追加要素４０４が、例えば、マスバランスの目的のために、そのレンズホルダに追加されてもよい。この追加要素は、両レンズシステムの間の質量差のバランスを取るためのバランシングマスであってもよい。それはまた、そのレンズホルダがそのディスクに接触する場合に、そのレンズ及びディスクを保護するバンパー（緩衝器）であってもよい。それはまた、レンズシステムのような追加的な光学部品であってもよい。
【００６４】
ここで図５Ａを参照すると、その放射線ビームは、レンズホルダ１０１におけるレンズシステム１０２の光軸に対して約９０度の角度γで、その光ピックアップアクチュエータのビームエントランス１１３に入り得る。しかしながら、好適には、その角度は、その光ピックアップの構造高さを更に低減させるために、９０度未満である。
【００６５】
図５Ｂを参照すると、別の方向において、その放射線ビームは、レンズシステム１０２の光軸に対して実質的に平行な第一面に延在するトラッキングコイルシステムに対して４５度と１３５度との間のエントランス角度αで、光ピックアップアクチュエータのビームエントランス１１３に入ってもよい。好適には、そのエントランス角度は、７０度と１１０度との間である。より好適には、そのエントランス角度は、実質的に９０度である。
【００６６】
上述の実施例により、アクチュエータがアクティブ傾斜制御を可能にさせるスリムライン又は薄型の光走査デバイス用の光ピックアップアクチュエータを提供することができる。
【００６７】
光ピックアップアクチュエータの上述の実施例は、例えば、図６に概略的に示されるような光走査デバイスに適用され得る。本発明の実施例に従った光ピックアップアクチュエータを利用することが、その光走査デバイス全体の構造高さにとって有利であると考えられる。そのような光ピックアップデバイスの簡単な説明を以下に示す。光ピックアップ（走査）デバイス及び光学記録技術に関するより一般的な情報のためには、G.Bouwhuis,  J.Braat,  A.Huijserらによる本“Principles  of  Optical  Disc  Systems”(Adam  Hilger  1985,  ISBN  0-85274-785-3)のような一般利用可能な文献が参照される。
【００６８】
図６において、光走査デバイス３００の例の概略図が提示される。半導体レーザーのような放射線源３０１が放射線ビーム３０２を発するために備えられる。この放射線ビームは、光路１１０に沿ったビームスプリッタ３０３でコリメータレンズ３０４に向けて反射される。そのコリメータレンズは、発散する放射線ビーム３０２を実質的に平行な放射線ビームに変換する。その後、その放射線ビームは、本発明に従った光ピックアップアクチュエータのビームエントランスに入り、そして、ミラー１１１によって、本発明に従った光ピックアップアクチュエータのレンズホルダ１０１に取り付けられる対物レンズ１０２に向けて反射される。対物レンズ１０２は、その放射線ビームの焦点を、走査される光学記録担体３０６の情報層３０５に合わせる。その情報層による反射の後、その放射線ビームは、対物レンズ１０２及びミラー１１１によってコリメータレンズ３０４に向かって伝えられる。そのコリメータレンズは、ビームスプリッタ３０３の透過を経て、その放射線ビームの焦点を光検知器３０７に向かって合わせる。光検知器３０７は、その光走査デバイスにおける、例えば、非点収差焦点法やプッシュプルトラッキング法を利用した焦点誤差及びトラッキング誤差信号の生成に適している。３ビームプッシュプルトラッキング法のような３ビームトラッキング法が用いられた場合、回折格子３０８がその放射線ビームのところにその記録担体に向けて位置付けられる。
【００６９】
光走査デバイス３００の光学配置が二次元平面に描かれている点に留意すべきである。スリムラインの、又は、低構造高さの光走査デバイスを得るために、線Ａ−Ａ’の左手側の要素は、望ましくは、それとは異なって配向され、その光学配置のその部分は、光路１１０の線に沿って（例えば９０度）回転させられ、放射線源３０１が図の外に位置付けられるようにする。その線Ａ−Ａ’は、その光ピックアップアクチュエータのビームエントランス１１３又は２１３のところに位置付けられていると解釈される。図５Ａ及び５Ｂを参照しながら上記において既に説明されたように、その光ピックアップアクチュエータに向かう放射線ビームの角度は、レンズシステム１０２の光軸１０５に垂直なものとは異なる。
【００７０】
光検知器３０７及びサーボ電子回路（図示せず。）を用いて生成される焦点誤差信号及びトラッキング誤差信号は、焦点方向及びトラッキング方向における、その光ピックアップアクチュエータのレンズホルダのレンズシステム１０２の動きを制御するために用いられる。この光検知器３０７はまた、その光ピックアップアクチュエータの対物レンズの半径方向及び接線方向への傾斜を制御するために一以上の傾斜誤差信号を生成してもよい。そのような傾斜信号を処理するための追加的な電子回路が、その光ピックアップデバイスに追加されてもよい。或いは、例えば、傾斜センサのような別個の検出システムが、傾斜誤差信号や信号群を作り出すために用いられてもよい。
【００７１】
上述の実施例は、本発明の説明に役立つ実例として理解されるべきである。本発明の更なる実施例が想定される。何れかの実施例に関連して説明された何れの特徴が単体で用いられてもよく、或いは、説明された他の特徴と組み合わせて用いられてもよく、また、実施例の他の何れかの一以上の特徴と組み合わせて用いられてもよく、或いは、実施例の他の何れかの組み合わせの何れかと組み合わせて用いられてもよい。更に、上記で説明されていない均等物及び変形物もまた、添付の請求項に規定される本発明の範囲を逸脱することなく、採用され得る。
【図面の簡単な説明】
【００７２】
【図１Ａ】本発明に従った光ピックアップアクチュエータの上面図を概略的に示す。
【図１Ｂ】本発明に従った光ピックアップアクチュエータの図１Ａの線Ｉ−Ｉ’における断面図を概略的に示す。
【図１Ｃ】本発明に従った光ピックアップアクチュエータの側面図を概略的に示す。
【図２Ａ】本発明の実施例に従ったレンズホルダ、コイルシステム及び磁石システムの上面図を概略的に示す。
【図２Ｂ】本発明の実施例に従ったレンズホルダ、コイルシステム及び磁石システムの側面図を概略的に示す。
【図２Ｃ】本発明の実施例に従ったレンズホルダ、コイルシステム及び磁石システムの側面図を概略的に示す。
【図３Ａ】本発明の別の実施例に従ったレンズホルダ、コイルシステム及び磁石システムの上面図を概略的に示す。
【図３Ｂ】本発明の別の実施例に従ったレンズホルダ、コイルシステム及び磁石システムの側面図を概略的に示す。
【図３Ｃ】本発明の別の実施例に従ったレンズホルダ、コイルシステム及び磁石システムの側面図を概略的に示す。
【図４】本発明に従った更に別の実施例における光走査アクチュエータの一部を示す。
【図５Ａ】本発明に従った光ピックアップアクチュエータが取り得るビームエントランス角度を概略的に示す。
【図５Ｂ】本発明に従った光ピックアップアクチュエータが取り得るビームエントランス角度を概略的に示す。
【図６】本発明に従った光ピックアップアクチュエータを用いる光走査デバイスのレイアウトを概略的に示す。
【図１Ａ】
2009521068.tif 000003
【図１Ｂ】
2009521068.tif 000004
【図１Ｃ】
2009521068.tif 000005
【図２Ａ】
2009521068.tif 000006
【図２Ｂ】
2009521068.tif 000007
【図２Ｃ】
2009521068.tif 000008
【図３Ａ】
2009521068.tif 000009
【図３Ｂ】
2009521068.tif 000010
【図３Ｃ】
2009521068.tif 000011
【図４】
2009521068.tif 000012
【図５Ａ】
2009521068.tif 000013
【図５Ｂ】
2009521068.tif 000014
【図６】
2009521068.tif 000015
【手続補正書】
【提出日】平成20年6月24日(2008.6.24)
【手続補正１】
【補正対象書類名】特許請求の範囲
【補正対象項目名】全文
【補正方法】変更
【補正の内容】
【特許請求の範囲】
【請求項１】
放射線ビームと協調するためのレンズシステムを有するレンズホルダであり、該レンズシステムが光軸を有し、また、当該レンズホルダがサスペンション手段によって支えられるところのレンズホルダ、
前記レンズホルダから切り離された磁石システム、
集束コイルシステム、
実質的に第一面に延在するトラッキングコイルシステムであり、該第一面が前記光軸に対して実質的に平行であるところのトラッキングコイル、を有し、かつ、
前記レンズホルダが前記光軸に実質的に垂直な方向を有する放射線ビームを受け入れるビームエントランスサイドを有し、
前記集束コイルシステムが前記ビームエントランスサイドに、及び、前記光軸の他方の側にある前記ビームエントランスサイドの反対側に位置付けられるところの光ピックアップアクチュエータであって、
前記トラッキングコイルシステムが前記光軸の他方の側にある前記ビームエントランスサイドの反対に位置付けられることを特徴とする光ピックアップアクチュエータ。
【請求項２】
前記トラッキングコイルシステムは、単一のトラッキングコイルを有する、
請求項１に記載の光ピックアップアクチュエータ。
【請求項３】
前記トラッキングコイルシステムは、前記レンズホルダに取り付けられる、
請求項１に記載の光ピックアップアクチュエータ。
【請求項４】
前記磁石システムは、前記ビームエントランスサイドのところに二つの磁石を有し、該二つの磁石の間の通路に沿って放射線ビームが当該光ピックアップアクチュエータに入れるようにする、
請求項１に記載の光ピックアップアクチュエータ。
【請求項５】
前記集束コイルシステムは、実質的に前記第一面、及び、前記光軸の他方の側で前記第一面の反対に位置付けられる第二面に延在する、
請求項１乃至４の何れか一項に記載の光ピックアップアクチュエータ。
【請求項６】
前記集束コイルシステムは、それぞれが前記レンズホルダの向かい合った側にある一以上のコイル対を有し、該コイル対又はコイル対群は、前記レンズホルダを傾けるための手段を形成する、
請求項５に記載の光ピックアップアクチュエータ。
【請求項７】
前記レンズホルダを傾けるための手段は、前記トラッキングコイルシステムが延在する前記第一面に実質的に垂直な軸の周りで前記レンズホルダを傾けるよう構成される、
請求項６に記載の光ピックアップアクチュエータ。
【請求項８】
前記集束コイルシステムは、前記光軸に実質的に垂直な面に配置された一つのコイルを有する、
請求項１乃至４の何れか一項に記載の光ピックアップアクチュエータ。
【請求項９】
前記一つのコイルは、前記レンズホルダの上面部の周りにある、
請求項８に記載の光ピックアップアクチュエータ。
【請求項１０】
それぞれが前記レンズホルダの向かい合った側にある少なくとも一つのコイル対を有し、該少なくとも一つのコイル対が前記レンズホルダを傾けるための手段を形成する、
請求項８に記載の光ピックアップアクチュエータ。
【請求項１１】
前記レンズホルダを傾けるための手段は、前記トラッキングコイルシステムが延在する前記第一面に実質的に垂直な第一軸の周りで前記レンズホルダを傾けるよう構成される、
請求項１０に記載の光ピックアップアクチュエータ。
【請求項１２】
前記レンズホルダを傾けるための手段は、更に、前記トラッキングコイルシステムが延在する前記第一面に実質的に平行で、かつ、前記光軸に実質的に垂直な第二軸の周りで前記レンズホルダを傾けるよう構成される、
請求項１１に記載の光ピックアップアクチュエータ。
【請求項１３】
第二レンズシステムは、第二放射線ビームと協調するために含まれ、前記レンズホルダは、前記第二放射線ビームを受け入れるための第二ビームエントランスサイドを有し、前記第二ビームエントランスサイドは、前記トラッキングコイルシステムが位置付けられる前記第一面に実質的に垂直である、
請求項１乃至４の何れか一項に記載の光ピックアップアクチュエータ。
【請求項１４】
請求項１乃至４の何れか一つに従った光ピックアップアクチュエータを有する光走査デバイス。
【手続補正２】
【補正対象書類名】明細書
【補正対象項目名】０００８
【補正方法】変更
【補正の内容】
【０００８】
この目的のために、放射線ビームと協調するためのレンズシステムを持つレンズホルダ（そのレンズホルダは、光軸を有し、また、そのレンズホルダは、サスペンション手段によって支えられる。）、そのレンズホルダから切り離された磁石システム、集束コイルシステム、実質的に第一面に延在するトラッキングコイルシステム（その第一面は、その光軸に対して実質的に平行である。）を有する光ピックアップアクチュエータであり、そのレンズホルダが、その光軸に実質的に垂直な方向を持つ放射線ビームを受け入れるためのビームエントランスサイドを有し、その集束コイルシステムが、そのビームエントランスサイドに、及び、その光軸の反対側にあるそのビームエントランスサイドの反対側に位置付けられ、そのトラッキングコイルシステムが、その光軸の反対側にあるそのビームエントランスサイドの反対側に位置付けられるところの光ピックアップアクチュエータが提供される。
【国際調査報告】
2009521068.tif 000016
2009521068.tif 000017
2009521068.tif 000018